(57)【特許請求の範囲】
【請求項１】
電動送風機及び集塵室を有する掃除機本体と、前記集塵室の上部開口を開閉自在に覆う集塵蓋と、前記掃除機本体に設けられ、該掃除機本体から上方へ引出し可能に設けられた把手部を備えた電気掃除機において、
前記把手部は、把持部と、脚部と、該脚部に設けられた突出部とを有し、
前記掃除機本体内には前記把手部を上方向に付勢する付勢手段と、前記突出部と係合し前記把手部を前記掃除機本体内に収納した状態を保持する係合部とを備え、
前記把手部を押し下げることにより前記突出部と前記係合部との係合状態が解除されると、前記把手部は前記付勢手段により前記掃除機本体の上面から突出することを特徴とする電気掃除機。
【請求項２】
請求項１に記載の電気掃除機において、
前記把持部の上昇位置は、集塵蓋を開いた際接触しない位置にあることを特徴とする電気掃除機。
【請求項３】
請求項１に記載の電機掃除機において、
前記掃除機本体内には、斜辺のガイドを備え、
前記突出部は前記斜辺のガイドに沿って移動し、
前記係合部は、前記斜辺のガイドの上端の上部に位置し、かつ前記斜辺のガイドの下端から前記突出部が上昇する際の上昇軌跡外に位置していることを特徴とする電気掃除機。
【発明の詳細な説明】
【技術分野】
【０００１】
本発明は電気掃除機に関するものである。
【背景技術】
【０００２】
電気掃除機には、掃除機本体を持ち運ぶための取手が設けられている。この取手は掃除
機本体の上面に設けられ、上下方向に移動可能に設けられている。このような電気掃除機は例えば特許文献１（特開平６−３２７５９５号公報）に開示されている。
【０００３】
【特許文献１】特開平６−３２７５９５号公報（００１５及び図１）
【発明の開示】
【発明が解決しようとする課題】
【０００４】
上記特許文献１の構成では、取手が自重により掃除機本体収納されるため、その都度取
手を電気掃除機より引き出す必要があり、煩わしいものであった。また、掃除機本体を起立して収納した際、取手が収納位置から飛び出してくることで美観を損なうことがあった。
【０００５】
本発明の目的は、上記課題を解決し、使い勝手の良い電気掃除機を提供することである。
【課題を解決するための手段】
【０００６】
上記目的を達成するために本発明の特徴とするところは、電動送風機及び集塵室を有する掃除機本体と、前記集塵室の上部開口を開閉自在に覆う集塵蓋と、前記掃除機本体に設けられ、該掃除機本体から上方へ引出し可能に設けられた把手部を備えた電気掃除機において、前記把手部は、把持部と、脚部と、該脚部に設けられた突出部とを有し、前記掃除機本体内には前記把手部を上方向に付勢する付勢手段と、前記突出部と係合し前記把手部を前記掃除機本体内に収納した状態を保持する係合部とを備え、前記把手部を押し下げることにより前記突出部と前記係合部との係合状態が解除されると、前記把手部は前記付勢手段により前記掃除機本体の上面から突出することにある。
【発明の効果】
【０００７】
本発明によれば、使い勝手を向上した電気掃除機を提供することができる。
【発明を実施するための最良の形態】
【０００８】
以下本発明の実施例について、図面を用いて説明する。
【０００９】
まず、図１〜図３を用いて電気掃除機の概要から順に説明する。図１は本発明の一実施例に係る掃除機本体１の外観斜視図であり、図２は集塵蓋５を開放させた状態における掃除機本体１の外観斜視図であり、図３は掃除機本体１の縦断面図である。
【００１０】
図１〜図３に示すように掃除機本体１は、後部側に走行用の車輪２と、前側下部に走行用キャスター（図示せず）を備えている。
【００１１】
掃除機本体１の前側には、集塵室３が設けられる。この集塵室３には、紙，布，不織布を含む集塵袋または、樹脂製集塵カップ，バスケットなどが取り外し自在に設けられている。ホース差込口４は掃除機本体１の前側に設けられ、この部分にホース（図示せず）が接続され、ホースと集塵室３とが連通する。
【００１２】
集塵室３の上方には、集塵袋または、樹脂製集塵カップやバスケットなどが出し入れされる開口部が形成され、この開口部を開閉自在に覆う集塵蓋５が備わる。集塵蓋５は掃除機本体１に回動自在に支持される。
【００１３】
図３に示すように、掃除機本体１の集塵室３には、集塵袋７または、樹脂製集塵カップ，バスケットなどが内置される。この集塵袋７は、使い捨ての紙，不織布ないし再利用可能な布袋を含む。
【００１４】
掃除機本体１の後部（集塵室３の後部）には、電動送風機８が収納されている。また、掃除機本体１の上部には、掃除機本体１を持ち運ぶための把手部１０が設けられている。
【００１５】
次に把手部１０について図５及び図６を用いて説明する。図５は把手部１０の外観斜視図であり、図６は把手部１０の分解斜視図である。
【００１６】
図５及び図６において、把手部１０は、使用者が握るための把持部１１と、把持部１１の一部を上下方向に移動可能に収納する把手支持部１２を備えている。この把手支持部１２は掃除機本体１内に設けられている。把手支持部１２内部には、把持部１１を上方向に向かって付勢させる付勢手段としての把手バネ１４が設けられている。把手バネ１４の付勢力により把持部１１は掃除機本体１の表面から突出する。把持部１１は掃除機本体の上方向に引出し可能となっている。
【００１７】
把持部１１は図６に示すように、上把持部１１ａと、下把持部１１ｂと、把持部１１が掃除機本体１から引き抜けないようにするための把手ストッパ１１ｃを有し、後述する固定機構との伝達を把手ピン１１ｄで行う。この把手ピン１１ｄには、固定機構との連動を円滑に行うためにピンバネ１１ｅを有し把手ストッパ１１ｃに取り付けられる。
【００１８】
固定機構は把手支持部１２内側部に備えられ、把持部１１を固定するためにカム１３を有する。図５（ｂ）に示すように、このカム１３は、把手ピン１１ｄとリンクする。
【００１９】
把手部１０について、図４〜図６を引用して更に詳しく述べる。
【００２０】
把持部１１は上把持部１１ａと下把持部１１ｂとから成り、下把持部１１ｂは対の脚を有し、掃除機本体１外部から取り付け、掃除機本体１の内部から下把持部１１ｂと把手ストッパ１１ｃ（脚部）を接合し、ネジ１５で固定する。この把手ストッパ１１ｃは掃除機本体１に設けられた把手軸穴９（図４）より下端面を大きく形成することにより掃除機本体１から把手が抜けることが無くなる。
【００２１】
上把持部１１ａと下把持部１１ｂを一部品構成にて部品分割をすることなく成形することで、部品点数を減らすことも可能である。
【００２２】
把手ストッパ１１ｃ側面には、外側に向かって突出したピンバネ１１ｅ及び把手ピン１１ｄ（突出部）を挿入する穴が設けてあり、前記把手ストッパ１１ｃ底面には付勢手段の把手バネ１４の収納穴が設けられている。
【００２３】
把手支持部１２には、把持部１１を上昇させる付勢手段として把手バネ１４を配置し、収納位置に固定させる固定機構としてカム１３を有する。また、固定機構は把手ストッパ側面の掃除機本体１の空白スペースに配置することにより、空白スペースを有効活用でき掃除機本体１を大きくしなくてすみ、把持部１１に取り付けられた把手ピン１１ｄがカム１３とリンクし動作伝達を行い、把手支持部１２を掃除機本体１内部に固定する。
【００２４】
次に把持部１１の収納状態、収納状態から掃除機本体上面への上昇、上昇位置での保持、把持部１１の収納時における収納位置固定までの一連動作について図７及び図８を用いて説明する。図７は固定機構の一連動作を説明する図であり、図７（ａ）はカム１３の正面図、図７（ｂ）〜（ｅ）は図７（ａ）の部分拡大図である。
【００２５】
掃除機本体１に取り付けられた把手部１０は固定機構のカム１３の突起７１に係合することより収納位置に固定されている。把手部１０を押し下げることにより、固定機構のカム１３に設けられた固定保持用の突起７１（係合部）から離れる（図７（ｂ））。その際、カム１３の下端には斜辺のガイド７２が設けられており、把手ピン１１ｄはガイド７２に沿って最下点まで動き、同時にカム１３が把手支持部１２内で移動し、把持部１１から手を離すと、把手支持部１２に取り付けられた付勢手段の把手バネ１４により把持部１１を上昇させる（図７（ｃ））。次に再び把手部１０を押し下げると、把手ピン１１ｄはガイド７３に沿って斜めに動きその後最下点まで動く（図７（ｄ））。そして、把手部１０を離すとガイド７４に沿って斜めに動き、突起７１の位置に保持される（図７（ｅ））。
【００２６】
上昇する把持部１１は、カム１３の下端の斜辺ガイド７２により、リンクする把手ピン１１ｄは移動し（図７（ｂ））、把持部１１が上昇する際には固定保持用の突起は把手ピン１１ｅの上昇軌跡外にあるため、把持部１１の上昇をさえぎることはない（図７（ｃ））。図８に示すように上昇した把持部１１は把手バネ１４にて規定位置で保持されることにより、従来の把手のように自重で掃除機本体１内部に落ちることも無い。
【００２７】
すなわち、本実施例では、前記把手部１０の把手ストッパ１１ｃ（脚部）に設けられた把手ピン１１ｄ（突出部）と固定保持用の突起７１（係合部）とが係合することにより、把手部１０を掃除機本体１内に収納した状態を保持し、把手ピン１１ｄ（突出部）と固定保持用の突起７１（係合部）との係合状態が解除されると、把手バネ１４（付勢手段）により把手部１０が掃除機本体の上面から突出するものである。これにより、使い勝手を向上した電気掃除機を提供することができるものである。
【００２８】
図９（ｂ）に示すように、上昇した把持部１１下端と掃除機本体１には、把手バネ１４で把手を上昇させたことにより手かけ部が広く構成されている。また、図１０に示すように把持部１１の上昇位置は集塵蓋５を開いた際にも接触しない位置にて保持されている。これにより、集塵蓋５，把手部１０の破損を防止できる。さらに掃除機本体を移動する際に従来の把手のように、その都度把手を引き出す必要がなく、使い勝手が向上する。
【００２９】
把持部１１を収納するには、把手バネ１４で上昇位置に保持された把持部１１を押し下げることにより、把手ピン１１ｄがカム１３の固定保持用の突起位置まで移動し、収納位置で固定される（図７（ｄ））。把手ピン１１ｄが移動する際、移動してきた軌跡を逆戻りしないようにカム１３には図８（ａ）（ｂ）に示すように段差８１が施してある。
【図面の簡単な説明】
【００３０】
【図１】本発明の一実施例に係る掃除機本体の外観斜視図である。
【図２】集塵蓋５を開放させた状態における掃除機本体１の外観斜視図である。
【図３】掃除機本体１の縦断面図である。
【図４】把手軸穴９を示した外観斜視図である。
【図５】把手部の斜視図である。
【図６】把手部の分解斜視図である。
【図７】固定機構の一連動作を説明する図である。
【図８】図７におけるＢ−Ｂ及びＣ−Ｃ断面図である。
【図９】把手収納位置と上昇位置を示した斜視図である。
【図１０】上昇位置で保持された把手と集塵蓋開閉軌道の説明図である。
【符号の説明】
【００３１】
１  掃除機本体
３  集塵室
１０  把手部
１１  把持部
１２  把手支持部
１３  カム
【図１】
0004909865.tif 000002
【図２】
0004909865.tif 000003
【図３】
0004909865.tif 000004
【図４】
0004909865.tif 000005
【図５】
0004909865.tif 000006
【図６】
0004909865.tif 000007
【図７】
0004909865.tif 000008
【図８】
0004909865.tif 000009
【図９】
0004909865.tif 000010
【図１０】
0004909865.tif 000011